【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
記事に関係付けられるクライアント側行動データを決定するステップと、
前記記事に関係付けられる前記クライアント側行動データをランク付けプロセッサに提供するステップと、
前記記事に関係付けられる前記クライアント側行動データに少なくとも一部基づいて、前記記事についての所定のクライアント行動点数を計算するステップと、
前記所定のクライアント行動点数をデータ格納部に格納するステップと、ここで、前記データ格納部は前記所定のクライアント行動点数を前記記事に関係付けるものであり、
検索クエリを受信するステップと、
前記記事が該受信した検索クエリに関係付けられることを決定するステップと、
前記記事に関係付けられた前記所定のクライアント行動点数を前記データ格納部から受信するステップと、
前記記事に関係付けられた前記所定のクライアント行動点数に少なくとも一部基づいて、前記検索クエリの検索結果内に前記記事を配置するステップと、
検索結果の少なくとも一部をユーザーに表示するステップと、
を具備する方法。
【請求項２】
前記検索クエリが明示的検索クエリである請求項１の方法。
【請求項３】
前記検索クエリが暗示的検索クエリである請求項１の方法。
【請求項４】
前記記事に関係付けられる前記クライアント側行動データは、スクロール活動データを含む請求項１〜３のいずれかに記載の方法。
【請求項５】
前記記事に関係付けられる前記クライアント側行動データは、印刷データを含む請求項１〜４のいずれかに記載の方法。
【請求項６】
前記記事に関係付けられる前記クライアント側行動データは、ブックマークデータを含む請求項１〜５のいずれかに記載の方法。
【請求項７】
前記記事に関係付けられる前記クライアント側行動データは、コンピュータープログラムアプリケーション使用データを含む請求項１〜６のいずれかに記載の方法。
【請求項８】
前記コンピュータープログラムアプリケーション使用データを、追加のクライアント側行動データと関連させて用いる請求項７の方法。
【請求項９】
前記追加のクライアント側行動データは、アイドルデータを含む請求項８の方法。
【請求項１０】
前記追加のクライアント側行動データは、コンピュータープログラムアプリケーション使用データを含む請求項８の方法。
【請求項１１】
前記記事に関係付けられる前記クライアント側行動データは、記事アクセス頻度データを含む請求項１〜１０のいずれかに記載の方法。
【請求項１２】
前記記事に関係付けられた前記クライアント側行動データは、アクセス時間データを含む請求項１〜１１のいずれかに記載の方法。
【請求項１３】
前記記事に関係付けられる前記クライアント側行動データは、他の関連する記事のアクセスに関わるアクセス時間データを含む請求項１〜１２のいずれかに記載の方法。
【請求項１４】
前記記事に関係付けられる前記クライアント側行動データは、転送データを含む請求項１〜１３のいずれかに記載の方法。
【請求項１５】
前記記事に関係付けられる前記クライアント側行動データは、コピーデータを含む請求項１〜１４のいずれかに記載の方法。
【請求項１６】
前記記事に関係付けられる前記クライアント側行動データは、返答データを含む請求項１〜１５のいずれかに記載の方法。
【請求項１７】
前記記事に関係付けられる前記クライアント側行動データは、マウスの動きデータを含む請求項１〜１６のいずれかに記載の方法。
【請求項１８】
前記記事に関係付けられる前記クライアント側行動データは、別の記事とのユーザ相互作用データを含む請求項１〜１７のいずれかに記載の方法。
【請求項１９】
前記記事に関係付けられる前記クライアント側行動データは、場所データを含む請求項１〜１８のいずれかに記載の方法。
【請求項２０】
多数のユーザについてのクライアント側行動データに少なくとも一部基づいて、組み合わせ点数を決定するステップを更に含む請求項１〜１９のいずれかに記載の方法。
【請求項２１】
複数の種類のクライアント側行動データにより組み合わせ点数を決定するステップを更に具備する請求項１〜２０のいずれかに記載の方法。
【請求項２２】
複数の種類のクライアント側行動データにより組み合わせ点数を作成するステップが、異なる種類の行動データに対して、または異なるアプリケーションに関係付けられたクライアント側行動データに対して、異なる重みを用いるステップを含む請求項２１の方法。
【請求項２３】
記事に関係付けられるクライアント側行動データを決定するステップと、
前記記事に関係付けられる前記クライアント側行動データをランク付けプロセッサに提供するステップと、
前記記事に関係付けられる前記クライアント側行動データに少なくとも一部基づいて、前記記事についての所定のクライアント行動点数を計算するステップと、
前記記事に関係付けられた前記所定のクライアント行動点数をデータ格納部に格納するステップと、ここで、前記データ格納部は前記所定のクライアント行動点数を前記記事に関係付けるものであり、
検索クエリを受信するステップと、
前記記事が該受信した検索クエリに関係付けられることを決定するステップと、
前記記事に関係付けられた前記所定のクライアント行動点数を前記データ格納部から受信するステップと、
前記記事に関係付けられた前記所定のクライアント行動点数に少なくとも一部基づいて、前記検索クエリの検索結果内に前記記事を配置するステップと、
検索結果の少なくとも一部をユーザーに表示するステップと、
をコンピュータに実行させるためのプログラムを記憶したコンピュータ読み取り可能な記憶媒体。
【請求項２４】
前記検索クエリが、明示的な検索クエリである請求項２３のコンピュータ読み取り可能な記憶媒体。
【請求項２５】
前記検索クエリが、暗示的な検索クエリである請求項２３のコンピュータ読み取り可能な記憶媒体。
【請求項２６】
前記記事に関係付けられる前記クライアント側行動データは、スクロール活動データを含む請求項２３〜２５のいずれかに記載のコンピュータ読み取り可能な記憶媒体。
【請求項２７】
前記記事に関係付けられる前記クライアント側行動データは、印刷データを含む請求項２３〜２６のいずれかに記載のコンピュータ読み取り可能な記憶媒体。
【請求項２８】
前記記事に関係付けられる前記クライアント側行動データが、ブックマークデータを含む請求項２３〜２７のいずれかに記載のコンピュータ読み取り可能な記憶媒体。
【請求項２９】
前記記事に関係付けられる前記クライアント側行動データは、コンピュータープログラムアプリケーション使用データを含む請求項２３〜２８のいずれかに記載のコンピュータ読み取り可能な記憶媒体。
【請求項３０】
前記コンピュータープログラムアプリケーション使用データを、追加のクライアント側行動データに関連させて用いる請求項２９のコンピュータ読み取り可能な記憶媒体。
【請求項３１】
前記追加のクライアント側行動データが、アイドルデータを含む請求項３０のコンピュータ読み取り可能な記憶媒体。
【請求項３２】
前記追加のクライアント側行動データは、コンピュータープログラムアプリケーション使用データを含む請求項３０のコンピュータ読み取り可能な記憶媒体。
【請求項３３】
前記記事に関係付けられる前記クライアント側行動データは、記事アクセス頻度データを含む請求項２３〜３２のいずれかに記載のコンピュータ読み取り可能な記憶媒体。
【請求項３４】
前記記事に関係付けられる前記クライアント側行動データは、アクセス時間データを含む請求項２３〜３３のいずれかに記載のコンピュータ読み取り可能な記憶媒体。
【請求項３５】
前記記事に関係付けられる前記クライアント側行動データは、他の関連する記事のアクセスに関わるアクセス時間データを含む請求項２３〜３４のいずれかに記載のコンピュータ読み取り可能な記憶媒体。
【請求項３６】
前記記事に関係付けられる前記クライアント側行動データは、転送データを含む請求項２３〜３５のいずれかに記載のコンピュータ読み取り可能な記憶媒体。
【請求項３７】
前記記事に関係付けられる前記クライアント側行動データは、コピーデータを含む請求項２３〜３６のいずれかに記載のコンピュータ読み取り可能な記憶媒体。
【請求項３８】
前記記事に関係付けられる前記クライアント側行動データは、返答データを含む請求項２３〜３７のいずれかに記載のコンピュータ読み取り可能な記憶媒体。
【請求項３９】
前記記事に関係付けられる前記クライアント側行動データは、マウスの動きデータを含む請求項２３〜３８のいずれかに記載のコンピュータ読み取り可能な記憶媒体。
【請求項４０】
前記記事に関係付けられる前記クライアント側行動データは、別の記事とのユーザ相互作用データを含む請求項２３〜３９のいずれかに記載のコンピュータ読み取り可能な記憶媒体。
【請求項４１】
前記記事に関係付けられる前記クライアント側行動データは、場所データを含む請求項２３〜４０のいずれかに記載のコンピュータ読み取り可能な記憶媒体。
【請求項４２】
多数のユーザについてのクライアント側行動データに少なくとも一部基づいて、組み合わせ点数を決定するステップを更に含む請求項２３〜４１のいずれかに記載のコンピュータ読み取り可能な記憶媒体。
【請求項４３】
複数の種類のクライアント側行動データにより組み合わせ点数を決定するステップを更に含む請求項２３〜４２のいずれかに記載のコンピュータ読み取り可能な記憶媒体。
【請求項４４】
複数の種類のクライアント側行動データにより組み合わせ点数を作成するステップが、異なる種類の行動データに対して、または異なるアプリケーションに関係付けられたクライアント側行動データに対して、異なる重みを用いるステップを含む請求項４３のコンピュータ読み取り可能な記憶媒体。
【請求項４５】
１組の記事群を順序づける方法であって、
記事に関係付けられるクライアント側行動データを決定するステップと、
前記記事に関係付けられる前記クライアント側行動データをランク付けプロセッサに提供するステップと、
前記記事に関係付けられる前記クライアント側行動データに少なくとも一部基づいて、前記記事についての所定のクライアント行動点数を計算するステップと、
前記所定のクライアント行動点数をデータ格納部に格納するステップと、ここで、前記データ格納部は前記所定のクライアント行動点数を前記記事に関係付けるものであり、
クエリ信号に関連する１組の関連記事群を決定するステップと、ここで、前記１組の関連記事群は前記記事を含んでおり、
前記記事に関係付けられた前記所定のクライアント行動点数を前記データ格納部から受信するステップと、
前記記事に関係付けられた前記所定のクライアント行動点数に少なくとも一部基づく順序で、前記１組の関連記事群を配列するステップと、
前記順序で前記１組の関連記事群の少なくとも一部をユーザーに表示するステップと、
を具備する方法。
【請求項４６】
検索結果を順序づける方法であって、
クライアント装置内に格納された記事に関係付けられるクライアント側行動データを決定するステップと、
前記記事に関係付けられる前記クライアント側行動データをランク付けプロセッサに提供するステップと、
前記記事に関係付けられる前記クライアント側行動データに少なくとも一部基づいて、前記記事についての所定のクライアント行動点数を計算するステップと、
前記所定のクライアント行動点数をクライアント装置内のデータ格納部に格納するステップと、ここで、前記データ格納部は前記所定のクライアント行動点数を前記記事に関係付けるものであり、
検索クエリを受信するステップと、
前記記事が該受信した検索クエリに関係付けられることを決定するステップと、
前記記事に関係付けられた前記所定のクライアント行動点数を前記データ格納部から受信するステップと、
前記記事に関係付けられた前記所定のクライアント行動点数に少なくとも一部基づく順序で、前記検索クエリの検索結果内に前記記事を配置するステップと、
前記順序で前記検索結果の少なくとも一部をユーザーに表示するステップと、
を具備する方法。